(57)【要約】【課題】ポータブルデジタルオーディオプレーヤ２７をオーディオ装置１０へＵＳＢケーブル３７により接続して、デジタルオーディオプレーヤ２７の音楽をオーディオ装置１０のオーディオシステムのスピーカで聞く場合に、オーディオ装置１０におけるユーザ操作を能率化する。【解決手段】構成キー及びキー配置の点でデジタルオーディオプレーヤ２７の操作部３４とほぼ同一の他機用操作部２４をオーディオ装置１０の本体１１又はワイヤレスリモコンに用意する。デジタルオーディオプレーヤ２７をオーディオ装置１０へ接続している期間において、ユーザはオーディオ装置１０の他機用操作部２４の各操作キーを操作する。オーディオ装置１０は、他機用操作部２４においてユーザ操作された操作キーに対応する操作部３４の操作キーへのユーザ操作に対応する制御信号をデジタルオーディオプレーヤ２７へ送る。【選択図】図１
2008171496.tif 000002
【特許請求の範囲】
【請求項１】
第１の操作部を有するホスト側コンテンツ再生装置、及び
第２の操作部を有し前記ホスト側コンテンツ再生装置に接続されているポータブル型コンテンツ再生装置、
を備えるコンテンツ再生システムであって、
前記第１の操作部は、その構成キー及びキー配置が、前記第２の操作部のそれらとほぼ同一とされ、
前記ホスト側コンテンツ再生装置は、
ユーザ操作のあった第１の操作部の操作キーをユーザ操作キーとして検出するユーザ操作キー検出手段、及び
ユーザ操作キーに対応する第２の操作部の操作キーへのユーザ操作に対応する制御信号を前記ポータブル型コンテンツ再生装置へ送出する制御信号送出手段、
を備えることを特徴とするコンテンツ再生システム。
【請求項２】
自機に接続されるポータブル型コンテンツ再生装置の第２の操作部と構成キー及びキー配置がほぼ同一である第１の操作部、
ユーザ操作のあった第１の操作部の操作キーをユーザ操作キーとして検出するユーザ操作キー検出手段、及び
ユーザ操作キーに対応する第２の操作部の操作キーへのユーザ操作に対応する制御信号を接続中の前記ポータブル型コンテンツ再生装置へ送出する制御信号送出手段、
を備えることを特徴とするホスト側コンテンツ再生装置。
【請求項３】
タッチスクリーンを有するホスト側コンテンツ再生装置、及び
第２の操作部を有し前記ホスト側コンテンツ再生装置に接続されているポータブル型コンテンツ再生装置、
を備えるコンテンツ再生システムであって、
前記第２の操作部と構成キー及びキー配置がほぼ同一である第１の操作部画像を前記タッチスクリーンに表示する表示制御手段、
第１の操作部画像におけるユーザタッチ部位の操作キーをユーザ操作キーとして検出するユーザ操作キー検出手段、及び
ユーザ操作キーに対応する第２の操作部の操作キーへのユーザ操作に対応する制御信号を接続中の前記ポータブル型コンテンツ再生装置へ送出する制御信号送出手段、
を備えることを特徴とするコンテンツ再生システム。
【請求項４】
タッチスクリーン、
接続中のポータブル型コンテンツ再生装置の第２の操作部と構成キー及びキー配置がほぼ同一である第１の操作部の画像を前記タッチスクリーンに表示する表示制御手段、
第１の操作部画像におけるユーザタッチ部位の操作キーをユーザ操作キーとして検出するユーザ操作キー検出手段、及び
ユーザ操作キーに対応する第２の操作部の操作キーへのユーザ操作に対応する制御信号を接続中の前記ポータブル型コンテンツ再生装置へ送出する制御信号送出手段、
を備えることを特徴とするホスト側コンテンツ再生装置。
【請求項５】
前記ポータブル型コンテンツ再生装置からの受信又はユーザ指定に基づき接続中のポータブル型コンテンツ再生装置の機種を検出する機種検出手段、
検出した機種に基づき第１の操作部画像を前記タッチスクリーンに表示する前記表示制御手段、及び
検出した機種に基づきユーザタッチ部位のユーザ操作キーを検出する前記ユーザ操作キー検出手段、
を備えることを特徴とする請求項４記載のホスト側コンテンツ再生装置。
【請求項６】
検出した機種に対応する第２の操作部情報に基づき第１の操作部画像を前記タッチスクリーンに表示する前記表示制御手段、及び
検出した機種に対応する第２の操作部情報に基づきユーザタッチ部位のユーザ操作キーを検出する前記ユーザ操作キー検出手段、
を備えることを特徴とする請求項５記載のホスト側コンテンツ再生装置。
【請求項７】
第２の操作部情報を記憶する記憶部、及び
機種に対応する第２の操作部情報を前記記憶部から検索する検索手段、
を備えることを特徴とする請求項６記載のホスト側コンテンツ再生装置。
【請求項８】
接続されたポータブル型コンテンツ再生装置から第２の操作部情報を入手する第２の操作部情報入手手段、
入手した第２の操作部情報に基づき第１の操作部画像を前記タッチスクリーンに表示する前記表示制御手段、及び
入手した第２の操作部情報に基づきユーザタッチ部位のユーザ操作キーを検出する前記ユーザ操作キー検出手段、
を備えることを特徴とする請求項４記載のホスト側コンテンツ再生装置。
【請求項９】
第１の操作部を有するホスト側コンテンツ再生装置、及び
第２の操作部を有し前記ホスト側コンテンツ再生装置に接続されているポータブル型コンテンツ再生装置、
を備え、
前記第１の操作部は、その構成キー及びキー配置が、前記第２の操作部のそれらとほぼ同一とされるコンテンツ再生システムの制御方法であって、
ユーザ操作のあった第１の操作部の操作キーをユーザ操作キーとして検出するステップ、及び
ユーザ操作キーに対応する第２の操作部の操作キーへのユーザ操作に対応する制御信号を前記ホスト側コンテンツ再生装置から前記ポータブル型コンテンツ再生装置へ伝送するステップ、
を備えることを特徴とするコンテンツ再生システム制御方法。
【請求項１０】
タッチスクリーンを有するホスト側コンテンツ再生装置、及び
第２の操作部を有し前記ホスト側コンテンツ再生装置に接続されるポータブル型コンテンツ再生装置、
を備えるコンテンツ再生システムの制御方法であって、
前記第２の操作部と構成キー及びキー配置がほぼ同一である第１の操作部画像を前記タッチスクリーンに表示するステップ、
第１の操作部画像におけるユーザタッチ部位の操作キーをユーザ操作キーとして検出するステップ、及び
ユーザ操作キーに対応する第２の操作部の操作キーへのユーザ操作に対応する制御信号を前記ホスト側コンテンツ再生装置から前記ポータブル型コンテンツ再生装置へ伝送するステップ、
を備えることを特徴とするコンテンツ再生システム制御方法。
【発明の詳細な説明】
【技術分野】
【０００１】
本発明は、ポータブル型コンテンツ再生装置をホスト側コンテンツ再生装置からのユーザ操作により制御するコンテンツ再生システム、ホスト側コンテンツ再生装置及び制御方法に関する。
【背景技術】
【０００２】
特許文献１は、ポータブル型音響再生機をオーディオ装置に接続して（特許文献１の図２）、ユーザは、オーディオ装置の再生開始キー等を操作して、ポータブル型音響再生機のＣＤ等を再生等することを開示する（特許文献１の段落００２７）。
【０００３】
非特許文献１は、デジタルオーディオプレーヤをＵＳＢケーブルにより接続される据置き型オーディオ装置を開示する。該据置き型オーディオ装置では、ユーザは、据置き型オーディオ装置の操作キーを操作して、デジタルオーディオプレーヤの楽曲を再生等し、該楽曲の再生音を据置き型オーディオ装置のスピーカから聞くようになっている。
【０００４】
非特許文献２は、デジタルオーディオプレーヤ着脱される小型のスピーカ装置を開示する。ユーザは、デジタルオーディオプレーヤをスピーカ装置に装着し、デジタルオーディオプレーヤの操作キーを操作して、該デジタルオーディオプレーヤの楽曲の再生音を、該デジタルオーディオプレーヤのイヤホンからに代えて、スピーカ装置のスピーカから聞くようになっている。
【特許文献１】特開２００６−４８８６８号公報
【非特許文献１】（株）ケンウッドＷｅｂ頁：TOP ＞ 製品情報 ＞ ホームエレクトロニクス ＞ システムコンポ＞ UD-A77/UD-A55/RD-UDA55  ［平成１８年１２月２７日検索］、インターネット＜URL:http://www.kenwood.co.jp/j/products/home_audio/systemcompo/ud_a77_a55/index.html＞
【非特許文献２】ＣＲＥＡＴＩＶＥ  Ｗｅｂ頁：  ［平成１８年１２月２７日検索］、インターネット＜URL:http://jp.creative.com/products/product.asp?category=4&subcategory=29&product=11784＞
【発明の開示】
【発明が解決しようとする課題】
【０００５】
デジタルオーディオプレーヤのユーザは、自分のデジタルオーディオプレーヤの操作部に、使い慣れていたり、その操作に習熟したりしているので、ホスト側（スピーカ側）オーディオ装置からのデジタルオーディオプレーヤの操作においても、デジタルオーディオプレーヤの操作と類似のものであれば、デジタルオーディオプレーヤを能率的に操作することができる。
【０００６】
特許文献１及び非特許文献１の装置では、ユーザは、ポータブル型オーディオ装置をホスト側オーディオ装置に接続して、ポータブル型オーディオ装置の楽曲を再生する場合、ホスト側オーディオ装置が自機のメディアを再生する場合に使用する操作部を使って、ポータブル型オーディオ装置へ指示を出すことになるので、ホスト側オーディオ装置の操作に不慣れなユーザには面倒となっている。
【０００７】
非特許文献２のスピーカ装置は、単に、デジタルオーディオプレーヤから入力する再生音を増幅して小型スピーカから流しているだけであり、ユーザがスピーカ装置からデジタルオーディオプレーヤに再生等の指示を出す場合のユーザ操作の能率化については一切言及していない。
【０００８】
本発明の目的は、ポータブル型コンテンツ再生装置をホスト側コンテンツ再生装置へ接続して、ユーザが該ホスト側コンテンツ再生装置の操作部を使って、ポータブル型コンテンツ再生装置へコンテンツ処理に関する指示を出す場合に、ユーザ操作を容易化及び能率化することのできるコンテンツ再生システム、ホスト側コンテンツ再生装置及び制御方法を提供することである。
【課題を解決するための手段】
【０００９】
本発明によれば、構成キー及びキー配置がポータブル型コンテンツ再生装置の操作部とほぼ同一である操作部をホスト側コンテンツ再生装置に配備する。ホスト側コンテンツ再生装置における操作部は、機械的構成（ハードウェア）であってもよいし、タッチスクリーンの画像であってもよい。
【００１０】
本発明のコンテンツ再生システムは、ＵＳＢケーブル等により相互に接続されているホスト側コンテンツ再生装置及びポータブル型コンテンツ再生装置を備えている。
【００１１】
本発明のホスト側コンテンツ再生装置は次のものを備えている。
自機に接続されるポータブル型コンテンツ再生装置の第２の操作部と構成キー及びキー配置がほぼ同一である第１の操作部、
ユーザ操作のあった第１の操作部の操作キーをユーザ操作キーとして検出するユーザ操作キー検出手段、及び
ユーザ操作キーに対応する第２の操作部の操作キーへのユーザ操作に対応する制御信号を接続中のポータブル型コンテンツ再生装置へ送出する制御信号送出手段。
【００１２】
本発明の別のホスト側コンテンツ再生装置は次のものを備えている。
タッチスクリーン、
接続中のポータブル型コンテンツ再生装置の第２の操作部と構成キー及びキー配置がほぼ同一である第１の操作部の画像をタッチスクリーンに表示する表示制御手段、
第１の操作部画像におけるユーザタッチ部位の操作キーをユーザ操作キーとして検出するユーザ操作キー検出手段、及び
ユーザ操作キーに対応する第２の操作部の操作キーへのユーザ操作に対応する制御信号を接続中のポータブル型コンテンツ再生装置へ送出する制御信号送出手段。
【００１３】
本発明のコンテンツ再生システム制御方法が適用されるコンテンツ再生システムは、第１の操作部を有するホスト側コンテンツ再生装置と、第２の操作部を有しホスト側コンテンツ再生装置に接続されているポータブル型コンテンツ再生装置とを備えている。また、第１の操作部は、その構成キー及びキー配置が、第２の操作部のそれらとほぼ同一とされる。本発明のコンテンツ再生システム制御方法は次のステップを備えている。
ユーザ操作のあった第１の操作部の操作キーをユーザ操作キーとして検出するステップ、及び
ユーザ操作キーに対応する第２の操作部の操作キーへのユーザ操作に対応する制御信号をホスト側コンテンツ再生装置からポータブル型コンテンツ再生装置へ伝送するステップ。
【００１４】
本発明の別のコンテンツ再生システム制御方法が適用されるコンテンツ再生システムは、タッチスクリーンを有するホスト側コンテンツ再生装置と、第２の操作部を有しホスト側コンテンツ再生装置に接続されるポータブル型コンテンツ再生装置とを備えている。本発明の別のコンテンツ再生システムの制御方法は次のステップを備えている。
第２の操作部と構成キー及びキー配置がほぼ同一である第１の操作部画像をタッチスクリーンに表示するステップ、
第１の操作部画像におけるユーザタッチ部位の操作キーをユーザ操作キーとして検出するステップ、及び
ユーザ操作キーに対応する第２の操作部の操作キーへのユーザ操作に対応する制御信号をホスト側コンテンツ再生装置からポータブル型コンテンツ再生装置へ伝送するステップ。
【発明の効果】
【００１５】
本発明によれば、ホスト側コンテンツ再生装置の操作部は、ポータブル型コンテンツ再生装置の操作部に構成キー及びキー配置がほぼ同一とされるので、ユーザは、使い慣れたポータブル型コンテンツ再生装置の操作感覚及び操作内容で、ホスト側コンテンツ再生装置の操作部を使って、ポータブル型コンテンツ再生装置へ指示を出すことができる。
【発明を実施するための最良の形態】
【００１６】
図１はポータブルデジタルオーディオプレーヤ２７と共にその操作部とほぼ同一の操作部を装備するオーディオ装置１０を示している。該オーディオ装置１０は、スピーカ付きシステムコンポの部分であり、図示していない左右のスピーカへ接続され、家庭内の所定場所に置かれる。ポータブルデジタルオーディオプレーヤ２７は、ユーザのポケットやかばん等に収納可能な寸法であり、ユーザにより携帯されるようになっている。
【００１７】
オーディオ装置１０は、本体１１と、図示されていないワイヤレスリモコンとを有している。本体１１の前面には、ＣＤスロット１２、表示部１３、ＵＳＢ端子１４及びヘッドホン端子１７の他に、他機用操作部２４及び自機用操作部２７が配備されている。なお、図１及び後述の図２において、他機用操作部２４、自機用操作部２７、操作部３４は、説明の便宜上、本体１１及びポータブルデジタルオーディオプレーヤ２７におけるそれらの領域をおおまかに示す破線で表わされている。実際の製品には、このような破線が記入されていないことはもち論である。他機用操作部２４には、パワースイッチ２０、確定キー２１、マルチコントロールキー２２及び音量調整キー２３等が含まれる。自機用操作部２７には、音量調整摘まみ１５及び操作キー１６等が含まれる。
【００１８】
ＣＤスロット１２には、ＣＤが出し入れ自在に装填される。表示部１３には、各種表示が行われる。ＵＳＢ端子１４には、ＵＳＢケーブル３７のコネクタ３８が分離自在に差し込まれる。音量調整摘まみ１５は、ユーザが、左右スピーカからの音量を調整する際に、回転操作する。操作キー１６は、ＣＤスロット１２から装填されたＣＤについて再生や停止等を指示するものである。オーディオ装置１０の図示していないワイヤレスリモコンには、自機用操作部２７より多くの各種キーが配備され、他機用操作部２４より多くの指示をオーディオ装置１０に対して出せるようになっている。
【００１９】
ポータブルデジタルオーディオプレーヤ２７は、その前面に表示部２９と共に操作部３４を配備している。表示部２９には、各種表示が行われる。操作部３４は、パワースイッチ３０、確定キー３１、マルチコントロールキー３２及び音量調整キー３３を備えている。
【００２０】
操作部３４において、パワースイッチ３０は、ユーザがポータブルデジタルオーディオプレーヤ２７の電源をオン、オフする際に押下される。確定キー３１は、選択を確定するときに、押下される。マルチコントロールキー３２は、確定キー３１を囲う正方形枠状に形成され、表示部２９に表示される各種メニューや楽曲等の選択を変更するとき等に、上辺部、下辺部、左辺部又は右辺部を押下される。音量調整キー３３は、ポータブルデジタルオーディオプレーヤ２７に接続される図示していなイヤホンからの再生音の音量を調整する際に上端部又は下端部を押下される。
【００２１】
他機用操作部２４におけるパワースイッチ２０、確定キー２１、マルチコントロールキー２２及び音量調整キー２３は、操作部３４におけるパワースイッチ３０、確定キー３１、マルチコントロールキー３２及び音量調整キー３３に１：１に対応しており、他機用操作部２４と操作部３４とは、構成キー及びキー配置が同一となっている。なお、構成キーとは、操作部を構成しているキーのことを意味するものとする。
【００２２】
ユーザが、ＣＤスロット１２に装填されているＣＤの楽曲を、オーディオ装置１０の外部スピーカから聞こうとする場合には、ユーザは、自機用操作部２７における音量調整摘まみ１５や操作キー１６、又は図示していないワイヤレスリモコンの所定の操作キーを操作する。これにより、ＣＤの楽曲が再生されて、その再生音がオーディオ装置１０の外部スピーカから流れる。
【００２３】
ポータブルデジタルオーディオプレーヤ２７はスピーカを装備しておらず、ユーザは、それへイヤホン（図示せず）を接続して、それに格納されている楽曲の再生音を聞くようになっている。ＵＳＢケーブル３７は両端部にコネクタ３８，３９を有している。ユーザが、オーディオ装置１０の外部スピーカからポータブルデジタルオーディオプレーヤ２７の楽曲を聞こうとする場合には、ＵＳＢケーブル３７のコネクタ３８，３９をそれぞれＵＳＢ端子１４及びポータブルデジタルオーディオプレーヤ２７へ差し込む。
【００２４】
そして、ユーザは、他機用操作部２４の操作キーを操作して、ポータブルデジタルオーディオプレーヤ２７に対する指示を行う。オーディオ装置１０は、他機用操作部２４の操作キーに対するユーザ操作を検出し、今回のユーザ操作の操作キー対応している操作部３４の操作キーを操作した場合にポータブルデジタルオーディオプレーヤ２７が行う処理と同一の処理をポータブルデジタルオーディオプレーヤ２７に行わせる制御信号をポータブルデジタルオーディオプレーヤ２７へ送る。
【００２５】
ポータブルデジタルオーディオプレーヤ２７は、オーディオ装置１０から送られてきた制御信号に対し、該制御信号の基になっている今回のユーザ操作が行われた操作キーに対応する操作部３４の操作キーへのユーザ操作に対する処理と同一の処理を実行する。ポータブルデジタルオーディオプレーヤ２７がその楽曲について生成する再生音信号は、ＵＳＢケーブル３７を介してオーディオ装置１０へ送られる。オーディオ装置１０は、この再生音信号に対して増幅等の処理を行って、その音を外部スピーカから流す。
【００２６】
本体１１の他機用操作部２４と同一の操作部をオーディオ装置１０のワイヤレスリモコンに配備して、ユーザは、ワイヤレスリモコンにおける該操作部の所望の操作キーを操作して、ポータブルデジタルオーディオプレーヤ２７に対する指示を出すことができる。また、表示部２９は、オーディオ装置１０自身の処理にっいての各種情報として、自機用操作部２７の各操作キーのユーザ操作のための対応の情報が表示されるようになっていることはもち論であるが、ポータブルデジタルオーディオプレーヤ２７をオーディオ装置１０に接続している期間では、他機用操作部２４の操作キーのユーザ操作のための各種の情報を表示することができる。
【００２７】
図２はタッチスクリーン４２を装備するオーディオ装置４０をポータブルデジタルオーディオプレーヤ２７と共に示している。オーディオ装置４０において、オーディオ装置１０の部位と同一の部位については、オーディオ装置１０の部位に対する符号と同一の符号を指示して、それらの説明は省略する。オーディオ装置４０は、オーディオ装置１０の他機用操作部２４の代わりに、タッチスクリーン４２を前面に有している点が、オーディオ装置１０と相違するのみであり、タッチスクリーン４２以外の構成及び作用は、オーディオ装置１０と同一である。オーディオ装置４０もワイヤレスリモコンを装備しており、ワイヤレスリモコンにタッチスクリーン４２を装備することもできる。オーディオ装置１０との相違点について説明する。
【００２８】
オーディオ装置４０は、ＵＳＢケーブル３７を介してポータブルデジタルオーディオプレーヤ２７を接続されるのに伴い、ポータブルデジタルオーディオプレーヤ２７からその機種情報を受信する。又は、ポータブルデジタルオーディオプレーヤ２７をオーディオ装置４０に接続した時に、オーディオ装置４０は、タッチスクリーン４２に機種のリストを表示し、その中からポータブルデジタルオーディオプレーヤ２７の機種をユーザに選択させて、それにタッチさせる。
【００２９】
オーディオ装置４０の記憶装置（図示せず）には、機種情報に対応する操作部情報が所定のデータベースとして蓄積されている。操作部情報は、ポータブルデジタルオーディオプレーヤ２７の機種ごとの構成キー情報及びキー配置情報を含む。オーディオ装置４０は、ポータブルデジタルオーディオプレーヤ２７の機種に対応する操作部情報を読み出して、該操作部情報に基づくポータブルデジタルオーディオプレーヤ２７の操作部画像をタッチスクリーン４２に表示する。結果、タッチスクリーン４２には、操作部３４の画像が表示される。
【００３０】
ユーザは、ポータブルデジタルオーディオプレーヤ２７の操作部３４が表示されているタッチスクリーン４２の操作部画像から対応の操作キーを選択して、それにタッチする。オーディオ装置４０は、ユーザタッチ部位の操作キー画像を操作部情報のキー配置情報に基づき検出する。オーディオ装置４０は、該操作キー画像が対応している操作部３４の操作キーをポータブルデジタルオーディオプレーヤ２７において操作した場合にポータブルデジタルオーディオプレーヤ２７が行う処理と同一の処理をポータブルデジタルオーディオプレーヤ２７に行わせる制御信号をポータブルデジタルオーディオプレーヤ２７へ送る。
【００３１】
ポータブルデジタルオーディオプレーヤ２７は、オーディオ装置４０から送られてきた制御信号に対し、該制御信号の基になっている今回のユーザタッチ部位の操作キー画像に対応する操作部３４の操作キーへのユーザ操作に対する処理と同一の処理を実行する。ポータブルデジタルオーディオプレーヤ２７が生成する再生音信号は、ＵＳＢケーブル３７を介してオーディオ装置４０へ送られる。オーディオ装置４０は、この再生音信号に対して増幅等の処理を行い、その音をオーディオ装置４０の外部スピーカから流す。
【００３２】
タッチスクリーン４２は、ポータブルデジタルオーディオプレーヤ２７の非接続期間では、自機用操作部２７の画像を表示して、ユーザは該画像から対応の操作キーをタッチして、オーディオ装置４０自身への指示を出すようにしてもよい。この場合、自機用操作部２７は省略することができる。
【００３３】
図３はコンテンツ再生システム５０の構成をブロック形式で示したものである。コンテンツ再生システム５０はホスト側コンテンツ再生装置５１及びポータブル型コンテンツ再生装置５９を備えている。ホスト側コンテンツ再生装置５１及びポータブル型コンテンツ再生装置５９が処理するコンテンツは、オーディオに限定されず、その他のビデオや静止画像であってもよい。ホスト側コンテンツ再生装置５１及びポータブル型コンテンツ再生装置５９の具体例は前述のオーディオ装置１０及びポータブルデジタルオーディオプレーヤ２７である。
【００３４】
ホスト側コンテンツ再生装置５１は、家庭に配備されるものに限定されず、自動車に搭載されるものであってもよい。ホスト側コンテンツ再生装置５１は、据付け型に限定されず、把持して、部屋間で移動されたり、外へ持ち運ばれたりするポータブル型のものであってもよい。ポータブル型コンテンツ再生装置５９は、典型的には、ハードディスク内蔵型又はフラッシュメモリ内蔵型のデジタルオーディオプレーヤであり、ユーザのポケットやかばんに収納可能の大きさとなっている。
【００３５】
ホスト側コンテンツ再生装置５１は第１の操作部５２を有し、ポータブル型コンテンツ再生装置５９は第２の操作部６０を有している。ポータブル型コンテンツ再生装置５９はホスト側コンテンツ再生装置５１に接続自在である。ホスト側コンテンツ再生装置５１へのポータブル型コンテンツ再生装置５９の接続は、ＵＳＢケーブル等によるケーブル接続に限定されず、ＩＲ（赤外線）やブルートゥース規格等によるワイヤレス接続であってもよい。第１の操作部５２は、その構成キー及びキー配置が、第２の操作部６０のそれらとほぼ同一とされる。ホスト側コンテンツ再生装置５１が、ワイヤレスリモコンを装備する場合には、第１の操作部５２は、本体及びワイヤレスリモコンのいずれか又は両方に配備することができる。
【００３６】
第１及び第２の操作部５２，６０の具体例は図１の他機用操作部２４及び操作部３４である。第１の操作部５２と第２の操作部６０とは、構成キー及びキー配置がほぼ同一であれば足り、構成キー及びキー配置共に厳密な同一を必要としない。例えば、他機用操作部２４の操作キーでは、操作部３４の操作キーの内、重要性の低いものを省略してもよいし。構成キーやキー配置以外の因子、例えばキー形状及びキー寸法については、他機用操作部２４の操作キーと操作部３４の操作キーとを、望ましくは一致させた方がよいものの、特に一致させる必要はない。ユーザが、他機用操作部２４から操作部３４との一致性を認識できるものであればよい。
【００３７】
ホスト側コンテンツ再生装置５１は、さらに、ユーザ操作キー検出手段５３及び制御信号送出手段５４を備えている。ユーザ操作キー検出手段５３は、ユーザ操作のあった第１の操作部５２の操作キーをユーザ操作キーとして検出する。制御信号送出手段５４は、ユーザ操作キーにキー配置上、対応する第２の操作部の操作キーへのユーザ操作に対応する制御信号を接続中のポータブル型コンテンツ再生装置５９へ送出する。
【００３８】
こうして、ユーザは、ポータブル型コンテンツ再生装置５９の使い慣れたユーザ操作をホスト側コンテンツ再生装置５１の第１の操作部５２に対して行って、ポータブル型コンテンツ再生装置５９を操作し、ポータブル型コンテンツ再生装置５９のコンテンツをホスト側コンテンツ再生装置５１側で使用することができる。
【００３９】
なお、ポータブル型コンテンツ再生装置５９のコンテンツをホスト側コンテンツ再生装置５１側で使用する具体的内容は、例えば、ポータブル型コンテンツ再生装置５９のオーディオコンテンツやビデオコンテンツを、ホスト側コンテンツ再生装置５１のスピーカから流して、ユーザが聞いたり、ホスト側コンテンツ再生装置５１のディスプレイに表示して、ユーザが見たりすることである。
【００４０】
図４はコンテンツ再生システム６５の構成をブロック形式で示したものである。コンテンツ再生システム６５はホスト側コンテンツ再生装置６６及びポータブル型コンテンツ再生装置５９を備えている。コンテンツ再生システム６５のポータブル型コンテンツ再生装置５９は、図３のコンテンツ再生システム５０のポータブル型コンテンツ再生装置５９と同一である。コンテンツ再生システム６５におけるホスト側コンテンツ再生装置６６及びポータブル型コンテンツ再生装置５９の具体例は図２のオーディオ装置４０及びポータブルデジタルオーディオプレーヤ２７である。ホスト側コンテンツ再生装置６６は、ホスト側コンテンツ再生装置５１の第１の操作部５２の代わりにタッチスクリーン６７を備えており、ホスト側コンテンツ再生装置５１における第１の操作部５２のユーザ操作に対する各処理が、ホスト側コンテンツ再生装置６６ではタッチスクリーン６７の所定部位へのユーザタッチに対する各処理に変更されている。その他、例えば、処理するコンテンツや設置場所等についてはホスト側コンテンツ再生装置６６はホスト側コンテンツ再生装置５１と同一である。
【００４１】
ホスト側コンテンツ再生装置６６は、タッチスクリーン６７と共に、表示制御手段６８、ユーザ操作キー検出手段６９及び制御信号送出手段７０を備えている。ホスト側コンテンツ再生装置６６がワイヤレスリモコンを装備する場合には、タッチスクリーン６７は、ホスト側コンテンツ再生装置６６の本体及びワイヤレスリモコンのいずれか又は両方に配備することができる。表示制御手段６８は、接続中のポータブル型コンテンツ再生装置５９の第２の操作部６０と構成キー及びキー配置がほぼ同一である第１の操作部の画像をタッチスクリーン６７に表示する。タッチスクリーン６７の具体例は図２のタッチスクリーン４２である。
【００４２】
ユーザ操作キー検出手段６９は、第１の操作部画像におけるユーザタッチ部位の操作キーをユーザ操作キーとして検出する。制御信号送出手段７０は、ユーザ操作キーに対応する第２の操作部６０の操作キーへのユーザ操作に対応する制御信号を接続中のポータブル型コンテンツ再生装置５９へ送出する。
【００４３】
こうして、ユーザは、ポータブル型コンテンツ再生装置５９の使い慣れたユーザ操作をホスト側コンテンツ再生装置６６のタッチスクリーン６７に対して行って、ポータブル型コンテンツ再生装置５９を操作し、ポータブル型コンテンツ再生装置５９のコンテンツのオーディオやビデオ等をホスト側コンテンツ再生装置６６において使用することができる。
【００４４】
好ましくは、コンテンツ再生システム６５は機種検出手段７５を備えている。機種検出手段７５は、ポータブル型コンテンツ再生装置５９からの受信又はユーザ指定に基づき接続中のポータブル型コンテンツ再生装置５９の機種を検出する。これに対応して、表示制御手段６８及びユーザ操作キー検出手段６９は次のようになっている。表示制御手段６８は、検出した機種に基づき第１の操作部画像をタッチスクリーン６７に表示する。ユーザ操作キー検出手段６９は、検出した機種に基づきユーザタッチ部位のユーザ操作キーを検出する。機種検出手段７５によるポータブル型コンテンツ再生装置５９の機種検出は、コンテンツ再生システム６５とポータブル型コンテンツ再生システム５９とが接続したことをトリガとして行われてもよい。
【００４５】
好ましくは、機種に対応する第２の操作部情報が用意される。すなわち、表示制御手段６８は、第２の操作部情報に基づき第１の操作部画像をタッチスクリーン６７に表示する。同様に、ユーザ操作キー検出手段６９は、第２の操作部情報に基づきユーザタッチ部位のユーザ操作キーを検出する。第２の操作部情報は例えば第２の操作部の構成キー情報及びキー配置情報を含む。
【００４６】
好ましくは、第２の操作部情報を処理するために、検索手段７６及び記憶部７７がホスト側コンテンツ再生装置６６に装備される。記憶部７７は、第２の操作部情報を記憶する。検索手段７６は、機種に対応する第２の操作部情報を記憶部７７から検索する。記憶部７７の第２の操作部情報は、メーカーがホスト側コンテンツ再生装置６６の出荷時に格納する他、ユーザが、インターネットの所定のサイトからＰＣへダウンロードしたデータを記憶部７７へ移したり、購入後にメーカー等から配布される記録媒体に格納されているデータを記憶部７７へ移したりして、適宜、追加、更新が可能にすることが好ましい。これにより、ホスト側コンテンツ再生装置６６の出荷後に出現した機種に対しても、その第１の操作部画像をタッチスクリーン６７に表示することが可能になる。
【００４７】
好ましくは、ホスト側コンテンツ再生装置６６は第２の操作キー情報入手手段７８を備えている。第２の操作キー情報入手手段７８は、接続されたポータブル型コンテンツ再生装置５９から第２の操作部情報を入手する。これに対応して、表示制御手段６８及びユーザ操作キー検出手段６９は次のようになっている。表示制御手段６８は、入手した第２の操作部情報に基づき第１の操作部画像をタッチスクリーン６７に表示する。ユーザ操作キー検出手段６９は、入手した第２の操作部情報に基づきユーザタッチ部位のユーザ操作キーを検出する。結果、記憶部７７を省略することができる。
【００４８】
図５はコンテンツ再生システム制御方法８２のフローチャートである。コンテンツ再生システム制御方法８２はコンテンツ再生システム５０、特にホスト側コンテンツ再生装置５１に適用される。Ｓ８３では、ユーザ操作のあった第１の操作部５２の操作キーをユーザ操作キーとして検出する。Ｓ８４では、ユーザ操作キーに対応する第２の操作部６０の操作キーへのユーザ操作に対応する制御信号をホスト側コンテンツ再生装置５１からそれに接続中のポータブル型コンテンツ再生装置５９へ伝送する。
【００４９】
Ｓ８３，Ｓ８４の各処理は、ユーザ操作キー検出手段５３及び制御信号送出手段５４の各機能に対応しており、ユーザ操作キー検出手段５３及び制御信号送出手段５４の各機能について前述した具体的態様は、Ｓ８３，Ｓ８４の各処理の具体的態様としても適用可能である。
【００５０】
図６はコンテンツ再生システム制御方法８９のフローチャートである。コンテンツ再生システム制御方法８９はコンテンツ再生システム６５、特にホスト側コンテンツ再生装置６６に適用される。Ｓ９０では、第２の操作部６０と構成キー及びキー配置がほぼ同一である第１の操作部画像をタッチスクリーン６７に表示する。
【００５１】
Ｓ９１では、第１の操作部画像におけるユーザタッチ部位の操作キーをユーザ操作キーとして検出する。Ｓ９２では、ユーザ操作キーに対応する第２の操作部の操作キーへのユーザ操作に対応する制御信号をホスト側コンテンツ再生装置６６からポータブル型コンテンツ再生装置５９へ伝送する。
【００５２】
Ｓ９０，Ｓ９１，Ｓ９２の各処理は、表示制御手段６８、ユーザ操作キー検出手段６９及び制御信号送出手段７０の各機能に対応しており、表示制御手段６８、ユーザ操作キー検出手段６９及び制御信号送出手段７０の各機能について前述した具体的態様は、Ｓ９０，Ｓ９１，Ｓ９２の各処理の具体的態様としても適用可能である。
【００５３】
コンテンツ再生システム制御方法８９には、さらに、機種検出手段７５、検索手段７６及び第２の操作キー情報入手手段７８の各機能に対応するステップを適宜追加することができる。その場合には、機種検出手段７５、検索手段７６及び第２の操作キー情報入手手段７８の各機能について説明した各具体的態様は、それ追加ステップの処理についての具体的態様としても適用可能である。
【００５４】
本発明を最良の形態について説明したが、本発明は、これに限定されず、要旨の範囲内で種々の形態により実施可能であることは言うまでもない。
【図面の簡単な説明】
【００５５】
【図１】ポータブルデジタルオーディオプレーヤと共にその操作部とほぼ同一の操作部を装備するオーディオ装置を示す図である。
【図２】タッチスクリーンを装備するオーディオ装置をポータブルデジタルオーディオプレーヤと共に示す図である。
【図３】コンテンツ再生システムの構成をブロック形式で示す構成図である。
【図４】コンテンツ再生システムの構成をブロック形式で示す構成図である。
【図５】コンテンツ再生システム制御方法のフローチャートである。
【図６】別のコンテンツ再生システム制御方法のフローチャートである。
【符号の説明】
【００５６】
５０：コンテンツ再生システム、５１：ホスト側コンテンツ再生装置、５２：第１の操作部、５３：ユーザ操作キー検出手段、５４：制御信号送出手段、５９：ポータブル型コンテンツ再生装置、６０：第２の操作部、６５：コンテンツ再生システム、６６：ホスト側コンテンツ再生装置、６７：タッチスクリーン、６８：表示制御手段、６９：ユーザ操作キー検出手段、７０：制御信号送出手段、７５：機種検出手段、７６：検索手段、７７：記憶部、７８：第２の操作キー情報入手手段、８２：コンテンツ再生システム制御方法、８９：コンテンツ再生システム制御方法。
【図１】
2008171496.tif 000003
【図２】
2008171496.tif 000004
【図３】
2008171496.tif 000005
【図４】
2008171496.tif 000006
【図５】
2008171496.tif 000007
【図６】
2008171496.tif 000008